(57)【要約】【課題】  巻真挿通穴部が容易且つ正確に形成され得る時計輪列支持板の成形方法及び時計輪列支持板の成形用金型構造体、並びにこれにより成形された時計輪列支持体及び該時計輪列支持体を備える時計を提供すること【解決手段】  時計輪列支持板成形用の金型構造体５は、時計輪列支持板Ｍ１０の厚さ方向Ｚに開閉され、閉じられた際に該時計輪列支持板の外形を規定する時計輪列支持板外形形成用空所８２を規定する第一及び第二の金型８０，７０であって、少なくとも一方の金型が前記厚さ方向に該空所内に突出し巻真奥端部を収容する凹部Ｍ２２を形成するための巻真奥端部収容凹部形成用突起部７３を備えたものと、時計輪列支持板Ｍ１０の延在方向に第一又は第二の金型の側壁８６から空所８２内に挿入され先端が突起部７３の側面７５に当接し、巻真本体部を収容する孔部Ｍ２１を形成するための巻真本体部収容孔部形成用中子９０とを有する。【選択図】  図２
2007024536.tif 000002
【特許請求の範囲】
【請求項１】
時計輪列支持板の厚さ方向に相互に近接・離間されて型締め・型開きされる第一及び第二の金型からなる金型本体部の時計輪列支持板外形形成用空所内に該時計輪列支持板の厚さ方向に突出する突起部を該金型本体部に設けておき、該金型本体部の該突起部の側面に、前記時計輪列支持板の延在方向に挿入した細長い中子の先端を当接させた状態で、前記時計輪列支持板外形形成用空所内に時計輪列支持板成形材料を充填して、該突起部と中子とにより巻真挿通穴を形成することからなる時計輪列支持板の成形方法。
【請求項２】
請求項１に記載の成形方法で時計輪列支持板を成形するための金型構造体。
【請求項３】
時計輪列支持板の厚さ方向に開閉され、閉じられた際に該時計輪列支持板の外形を規定する時計輪列支持板外形形成用空所を規定する第一及び第二の金型であって、少なくとも一方の金型が前記厚さ方向に該空所内に突出し巻真奥端部を収容する凹部を形成するための巻真奥端部収容凹部形成用突起部を備えたものと、
前記時計輪列支持板の延在方向に前記第一又は前記第二の金型の側壁から前記空所内に挿入され先端が前記突起部の側面に当接し、巻真本体部を収容する孔部を形成するための巻真本体部収容孔部形成用中子と
を有する時計輪列支持板成形用の金型構造体。
【請求項４】
前記第一及び前記第二の金型が夫々前記厚さ方向に該空所内に突出する突起部を有し、前記第一の金型の突起部が前記中子に対面する側面とは反対側の側面において前記第二の金型の突起部のうち前記中子に対面する側面に当接し、前記第一の金型の前記突起部が前記中子の貫通する貫通孔を備え、前記中子の先端が前記第一の金型の前記突起部の貫通孔を貫通して前記第二の金型の前記突起部の前記側面に当接するように構成された請求項３に記載の金型構造体。
【請求項５】
前記第一の金型の前記突起部が形成する厚さ方向の凹部がつづみ車配設用の凹部である請求項４に記載の金型構造体。
【請求項６】
前記時計輪列支持板の延在方向で中子の延在方向に直角な方向における前記第二の金型の前記突起部の幅が前記中子の径よりも小さい請求項３から５までのいずれか一つの項に記載の金型構造体。
【請求項７】
前記第二の金型の前記突起部の形成する巻真奥端部収容凹部が、小鉄車の背後に形成される凹部である請求項３から６までのいずれか一つの項に記載の金型構造体。
【請求項８】
前記第一の金型が前記輪列支持板外形形成用空所を備える請求項３から７までのいずれか一つの項に記載の金型構造体。
【請求項９】
請求項３から８までのいずれか一つの項に記載の金型構造体により成形された時計輪列支持板。
【請求項１０】
時計輪列支持板が地板である請求項９に記載の時計輪列支持板。
【請求項１１】
請求項９又は１０に記載の時計輪列支持板を備えた時計。
【発明の詳細な説明】
【技術分野】
【０００１】
本発明は、時計の地板の如き時計輪列支持板を成形するに適した成形方法、同成形用金型構造体、及びこれにより成形された時計輪列支持体並びに該時計輪列支持体を備えた時計に係る。
【背景技術】
【０００２】
電子時計において、巻真の引出しに応じて該巻真に係合して該巻真の回転を輪列などに伝えるべくつづみ車を用いることは周知であり、巻真の引出しに応じてつづみ車を巻真の軸線方向に移動させるかんぬき等を用いる代わりに、つづみ車を地板の凹部内に収容しておくことも知られている（例えば、特許文献１，２等）。
【０００３】
つづみ車を地板の凹部に収容するタイプの電子時計１０１は、図３の（ａ）及び（ｂ）に示したように、外装ケース（図示せず）内に、地板１１０や、該地板１１０の表裏に組込まれた時計輪列１０２を有し、地板１１０の巻真挿通穴１２０に巻真１３０がＸ方向に挿入されている。
【０００４】
時計輪列１０２は、回転中心軸線Ｃのまわりで回転可能に地板１１０の文字板側（以下では裏側ともいう）に配置された筒車（時車）１５１や、該筒車１５１と同心に地板１１０の裏蓋側（以下では表側ともいう）に配置された二番車（分車）１５２や四番車（秒車）１５３を含む。時計輪列１０２の裏蓋側には輪列受１０３が配置されて、地板１１０と協働して分車１５２や秒車１５３を回転可能に支持している。
【０００５】
巻真１３０は、中径の角柱状部１３１、大径円柱状部１３２、中径のソロバン玉状部１３３、及び基端側の大径軸部１３４を有する。巻真１３０は、また、角柱状部１３１の先端側に小径先端部１３５を備え、角柱状部１３１と大径円柱状部１３２との間に角柱状部１３１に内接する径の円柱状軸部１３６を備える。巻真１３０は、更に、ソロバン玉状部１３３の両側に小径部１３７，１３８を備え、小径部１３７と大径円柱状部１３２との間に連結軸部１３９を備える。基端側大径軸部１３４は、係止用鍔部１４１を中間に備え、該鍔部１４１よりも奥側の軸部１４２と該鍔部１４１よりも外側でりゅうず装着用の軸部１４３とを含む。
【０００６】
巻真挿通穴１２０は、巻真１３０の大径円柱状部１３２がＸ１，Ｘ２方向に摺動して出入可能な入口側の大径円筒状孔部１２１と、中径角柱状部１３１が遊嵌され得る径の奥側の中径円筒状穴部１２２とを有する。地板１１０は、また、入口側の大径円筒状孔部１２１と奥側の中径円筒状穴部１２２との間に、表側から裏側まで厚さ方向Ｚに延びるつづみ車収容凹部１１１を備える。つづみ車収容凹部１１１のＹ方向（図３の（ａ）の面に垂直な方向）の大きさないし長さは、つづみ車収容凹部１１１のＺ方向の大きさないし深さとほぼ同程度であり、巻真挿通穴１２０の径よりもはるかに大きい。なお、つづみ車収容凹部１１１の底面１１２は半円筒状（横断面が半円形）である。
【０００７】
つづみ車収容凹部１１１には、角筒状の貫通孔１６１を備えたつづみ車１６０が配設されている。巻真１３０が、図３の（ａ）に示したように、Ｘ２方向に押込まれた通常運針位置にある場合には、つづみ車１６０は、その角筒状孔部１６１が巻真１３０の円柱状軸部１３６に外接する状態で該円柱状部１３６に嵌合され、巻真１３０に対して該巻真１３０の中心軸線Ａのまわりで回転自在である。この状態では、巻真１３０の角柱状部１３１は、巻真挿通穴１２０の奥側の中径円筒状穴部１２２内に逃げている。一方、巻真１３０がＸ１方向に引出された針回し位置に設定される際には、つづみ車１６０の角筒状孔部１６１が巻真１３０の角柱状部１３１に丁度嵌合され、巻真１３０の中心軸線Ａのまわりでの回転に応じてつづみ車１６０が回転される。
【０００８】
すなわち、電子時計１０１では、つづみ車収容凹部１１１の奥に巻真挿通穴１２０の奥側の中径円筒状穴部１２２を設けておいて、通常運針時に巻真１３０の角柱状部１３１が該中径円筒状穴部１２２内に収容され得るようにすることが、不可欠である。
【０００９】
地板１１０の表側表面１１３のうちつづみ車収容凹部１１１の開口部近傍で且つ中径円筒状穴部１２２の表側（Ｚ１側）の表面には、円柱状の軸部１１４が形成され、該軸部１１４には小鉄車１１５が回転自在に取付けられている。小鉄車１１５は、つづみ車１６０の歯車部１６２に噛合すると共に、日の裏車１５４（図３の（ｂ））に噛合されて、つづみ車１６０の回転を該日の裏車１５４を介して時車１４１及び分車１４２に伝える。
【００１０】
輪列受１０３に支持された電池プラス端子１６５の一部をなすばね部１６６は折り曲げられた先端部１６７の開口１６８で巻真１３０の小径部１３７又は１３８に係合される。巻真１３０が、Ｘ１，Ｘ２方向に出入れされると、ばね部１６６は、ソロバン玉状部１３３を弾性的に押えつつ巻真１３０のＸ１，Ｘ２方向への出入れを許容して他方の小径部１３７又は１３８に弾性的に嵌り込むことにより、クリック感を出すと共に巻真１３０を当該位置で安定に保持する。なお、１５６は筒車押え、１５７は小鉄車押えである。
【００１１】
以上のような巻真１３０の動作のためには、地板１１０が、大径孔部１２１及び中径穴部１２２並びにつづみ車収容凹部１１１を備え、地板１１０において、中径穴部１２２がつづみ車収容凹部１１１の奥側（Ｘ２方向）で、小鉄車１１５の支持壁部１１６の背後（Ｚ２側）に形成される必要がある。
【００１２】
このような構造を有する従来の地板１１０の成形プロセスが、図４の（ａ）〜（ｅ）に示されている。図４の（ａ）〜（ｅ）においては、説明の簡明化のために、大径孔部１２１及び中径穴部１２２並びにつづみ車収容凹部１１１以外の凹凸については、省いてある。
【００１３】
従来の成形金型構造体２００は、図４の（ａ）に示したように、下金型２１０及び上金型２２０からなる金型本体２０１と、中子としてのスライドコア２４０とを有する。
【００１４】
下金型２１０は、固定式の金型で、平坦な上面２１１を備え基台（図示せず）に静置固定された厚板２１２からなる（勿論、地板の形状次第では、非平面状でもよいけれども、ここでは、説明の簡明化のために詳細構造は省いてある）。
【００１５】
上金型２２０は、下面２２１で開口した凹部２２２を備える。凹部２２２は、成形されるべき地板１１０の外形形状に一致した内面形状を備える。上金型２２０は、凹部２２２の底壁２２３から凹部２２２内に突出した突起部２２４を有する。突起部２２４は、図３の（ａ）に示したつづみ車収容凹部１１１を規定すべくつづみ車収容凹部１１１の内面と相補的形状の外表面を有する。上金型２２０は、更に、凹部２２２の周壁２２５の一側２２６及び該一側部２２６に対面する突起部２２４の中央部分に、中子挿通孔２２７，２２８を備える。上金型２２０の周壁２２５の下面２２１は、一平面上に位置し、下金型２１０の上面２１１に当接された際に、下金型２１０と協働して凹部２２２を閉じる。
【００１６】
中子２４０は、巻真挿通穴１２０の大径円筒状孔部１２１と相補的形状の大径円柱状の本体部２４１と、該本体部２４０の先端に同心に形成された中径円柱状部２４２とを有し、大径円柱状本体部２４１が、上金型２２０の中子挿通孔２２７，２２８に嵌合・挿通される。なお、巻真の直径が１ｍｍ程度であることから、中子２４０の中径円柱状部２４２の径は１ｍｍ程度又はそれより小さい。
【００１７】
成形に際しては、図４の（ｂ）に示したように、中子２４０が上金型２２０の中子挿通孔２２７，２２８にＸ２方向に挿入されると共に下金型２１０に対して上金型２２０がＺ２方向に下ろされて上下の金型２２０，２１０が閉じられ、このように金型構造体２００が閉じられた状態で、成形材料導入孔（図示せず）から凹部２２２内に成形用樹脂が注入・充填され、樹脂の固化又は硬化の後、金型２００が開かれる。
【００１８】
型開きに際しては、図４の（ｃ）に示したように、まず、下金型２１０に対して上金型２２０が中子２４０と共にＺ１方向に持ち上げられる。このとき、成形体２６０は、上金型２２０や中子２４０と共にＺ１方向に持ち上げられる。
【００１９】
次に、図４の（ｄ）に示したように中子２４０がＸ１方向に抜かれ、最後に、図４の（ｅ）に示したように、離型用押圧ピン（図示せず）等により成形体２６０が押し下げられて上金型２２０の凹部２２２から取出される。
【００２０】
ところが、この成形プロセスには、次のような問題点がある。
（１）中子２４０が細く、その挿入深さや先端部の高さ位置が厳密に規定され難いので、巻真挿通穴１２０が所望の深さ位置に正確に形成されない場合が生じる虞れがある。
（２）中子２４０を抜いた後、上金型２２０の突起部２２４を成形体２６０のつづみ車収容凹部となるべき部分から抜くので、図３の（ａ）のつづみ車収容凹部１１１の角部となる部分１１５に成形バリが残り易く、組立の際に該成形バリがつづみ車１６０の凹部１１１の所定位置への落とし込みを妨げたり、つづみ車１６０の回転を阻害したり、歯車部１６２の噛合動作を妨げたりする虞れがある。
【特許文献１】実開平１−４４４９２号公報（マイクロフィルム）
【特許文献２】実用新案登録第２５９６９９２号明細書
【発明の開示】
【発明が解決しようとする課題】
【００２１】
本発明は、前記諸点に鑑みなされたものであって、その目的とするところは、巻真挿通穴部が容易且つ正確に形成され得る時計輪列支持板の成形方法及び時計輪列支持板の成形用金型構造体、並びにこれにより成形された時計輪列支持体及び該時計輪列支持体を備える時計を提供することにある。
【課題を解決するための手段】
【００２２】
本発明の時計輪列支持板の成形方法は、前記目的を達成すべく、時計輪列支持板の厚さ方向に相互に近接・離間されて型締め・型開きされる第一及び第二の金型からなる金型本体部の時計輪列支持板外形形成用空所内に該時計輪列支持板の厚さ方向に突出する突起部を該金型本体部に設けておき、該金型本体部の該突起部の側面に、時計輪列支持板の延在方向に挿入した細長い中子の先端を当接させた状態で、時計輪列支持板外形形成用空所内に時計輪列支持板成形材料を充填して、該突起部と中子とにより巻真挿通穴を形成することからなる。
【００２３】
本発明の時計輪列支持板の成形方法では、「第一及び第二の金型からなる金型本体部の時計輪列支持板外形形成用空所内に該時計輪列支持板の厚さ方向に突出する突起部を該金型本体部に設けておき、該金型本体部の該突起部の側面に、時計輪列支持板の延在方向に挿入した細長い中子（即ち、スライドコア）の先端を当接させた状態で、時計輪列支持板外形形成用空所内に時計輪列支持板成形材料を充填して、該突起部と中子とにより巻真挿通穴を形成する」ので、細長い中子の深さ位置が正確に突起部によって規定され得るから、巻真挿通穴が正確に形成され得る。また、中子の先端を突起部に当接させて巻真挿通穴を形成するので、巻真挿通穴の先端部分を中子ではなくて突起部によって形成し得るから、中子の長さを短くし得、細長い中子が曲がったり折れたり位置ずれする虞れを最低限に抑え得る。
【００２４】
本発明の時計輪列支持板成形用の金型構造体は、前記目的を達成すべく、時計輪列支持板の厚さ方向に開閉され、閉じられた際に該時計輪列支持板の外形を規定する時計輪列支持板外形形成用空所を規定する第一及び第二の金型であって、少なくとも一方の金型が前記厚さ方向に該空所内に突出し巻真奥端部を収容する凹部を形成するための巻真奥端部収容凹部形成用突起部を備えたものと、時計輪列支持板の延在方向に第一又は第二の金型の側壁から前記空所内に挿入され先端が前記突起部の側面に当接し、巻真本体部を収容する孔部を形成するための巻真本体部収容孔部形成用中子とを有する。
【００２５】
本発明の本発明の時計輪列支持板成形用の金型構造体では、第一又は第二の金型の側壁から時計輪列支持板の延在方向に時計輪列支持板外形形成用空所内に中子が挿入され、時計輪列支持板の厚さ方向に該空所内に突出した巻真奥端部収容凹部形成用突起部の側面に該中子の先端が当接するので、中子の深さ位置は、中子の先端が当接する金型の突起部の側面により正確に規定され得る。また、中子の先端部が当接する突起部が巻真奥端部を収容する凹部を形成し得るから、細長くなる中子の長さを最小限にし得、中子の折れや曲がりの虞れを低減させ得るから、巻真挿通穴が正確に形成され易い。
【００２６】
本発明の金型構造体では、典型的には、第一及び第二の金型が夫々前記厚さ方向に該空所内に突出する突起部を有し、第一の金型の突起部が前記中子に対面する側面とは反対側の側面において第二の金型の突起部のうち前記中子に対面する側面に当接し、第一の金型の突起部が前記中子の貫通する貫通孔を備え、中子の先端が第一の金型の突起部の貫通孔を貫通して第二の金型の突起部の前記側面に当接するように構成される。ここで、中子について、貫通とは、貫通孔の全体に嵌合された状態（中子の先端面が第一の金型の突起部の貫通孔の出口を覆うように位置する第二の金型の突起部の側面に当接する状態）をいい、該中子の先端が貫通孔の奥端から突出するわけではない。
【００２７】
この場合、中子の深さ位置は、中子の先端が当接する第二の金型の突起部の側面により正確に規定され、中子の先端部の高さ位置（時計輪列支持板の厚さ方向位置）は、第一の金型の突起部の貫通孔により正確に規定され得る。
【００２８】
なお、所望ならば、第一の金型の突起部が貫通孔を備える代わりに、中子の先端部が嵌合される有底穴（即ち、凹部ないし貫通していない穴）を備えていてもよく、その場合、中子の深さ位置は、中子の先端が当接する第一の金型の突起部の有底穴の底面により正確に規定され、中子の先端部の高さ位置は、中子の先端部が嵌合される第一の金型の突起部の有底穴の周面により正確に規定され得る。
【００２９】
但し、場合によっては、第一の金型の突起部に貫通孔も有底穴もなくてもよい。その場合、第一の金型の突起部に中子の先端面が当接して、中子の深さ方向位置が規定される。その場合、所望ならば、中子の先端部の高さ方向位置を規定すべく、第一の金型又は第二の金型が貫通孔を備えた別の突起部を更に有し、該貫通孔に中子の先端部近傍部分を貫通・突出させてもよい。
【００３０】
本発明の金型構造体では、典型的には、第一の金型の前記突起部（第二の金型の突起部と当接する側面を備えた突起部）が形成する厚さ方向の凹部がつづみ車配設用の凹部になる。
【００３１】
この場合、つづみ車配設用凹部に交差する方向に中子の先端部が突出しないので、中子と第一の金型の前記突起部との交差部に時計輪列支持板の厚さ方向に延びる成形バリがつづみ車配設用凹部内に生じる虞れが少ない。従って、つづみ車を該つづみ車配設用凹部に入れる際につづみ車の収容が該バリによって妨げられる虞れが少ない。その結果、つづみ車が軽くても自動組立が確実に行われ得る。
【００３２】
本発明の金型構造体では、典型的には、時計輪列支持板の延在方向で中子の延在方向に直角な方向における第二の金型の前記突起部の幅が中子の径よりも小さい。従って、第二の金型の前記突起部は、巻真が奥に差し込まれた通常運針位置を採る場合に、巻真の細い先端部が収容される逃げ部を与え得る。
【００３３】
本発明の金型構造体では、典型的には、第二の金型の前記突起部の形成する巻真奥端部収容凹部が、小鉄車の背後に形成される凹部である。
【００３４】
この場合、本発明の金型構造体では、巻真が奥に差し込まれた通常運針位置を採る場合に、巻真の細い先端部が収容される逃げ部を、巻真の延在方向に延びる細長い孔にする代わりに、小鉄車の背後において裏側に抜けた凹部にすることにより、巻真が正確に動作され得る巻真収容穴を備えた時計輪列支持板を容易且つ確実に製造し得る。
【００３５】
本発明の金型構造体では、典型的には、第一の金型が前記輪列支持板外形形成用空所を備える。但し、所望ならば、第一の金型の代わりに第二の金型が輪列支持板外形形成用空所を備えていてもよく、また、場合によっては、前記輪列支持板外形形成用空所が第一及び第二の金型の夫々に部分的に形成されていてもよい。
【００３６】
本発明では、時計輪列支持板は、上述のような金型構造体により成形される。時計輪列支持板は、典型的には、地板であるけれども、場合によっては、中枠や輪列受等他の輪列支持板であってもよい。本発明の時計は、このようにして形成された時計輪列支持板を備える。
【発明を実施するための最良の形態】
【００３７】
本発明の好ましい一実施の形態を添付図面に示した好ましい一実施例に基づいて説明する。
【実施例】
【００３８】
本発明の好ましい一実施例の電子時計１は、地板１０の構造ないし形状が地板１１０とは異なる点を除いて、図３の（ａ）及び（ｂ）に示した電子時計１０１と同様に構成される。
【００３９】
すなわち、電子時計１は、図１の（ａ）及び（ｂ）に示したように、外装ケース（図示せず）内に、時計輪列支持体としての地板１０や、該地板１０の表裏に組込まれた時計輪列２を有する。電子時計１では、図示しない外装ケースの孔及び地板１０の巻真挿通穴２０に巻真３０がＸ方向に挿入されている。
【００４０】
時計輪列２は、共通回転中心軸線Ｃのまわりで回転可能に地板１０の文字板側（即ち「裏側」）に配置された筒車（時車）５１や、該筒車５１と同心に地板１０の裏蓋側（即ち「表側」）に配置された二番車（分車）５２や四番車（秒車）５３を含む。時計輪列２の裏蓋側には輪列受３が配置され、地板１０と協働して分車５２や秒車５３を中心軸線Ｃのまわりで回転可能に支持している。
【００４１】
巻真３０は、中径の角柱状部３１、大径円柱状部３２、中径のソロバン玉状部３３、及び基端側の大径軸部３４を含む。巻真３０は、また、角柱状部３１の先端側に小径先端部３５を備え、角柱状部３１と大径円柱状部３２との間に角柱状部３１に内接する径の円柱状軸部３６を備える。小径先端部３５はなくてもよい。その場合、典型的には、角柱部３１の先端部に先細になった部分が同心に形成される。巻真３０は、更に、ソロバン玉状部３３の両側に小径部３７，３８を備え、奥側の小径部３７と大径円柱状部３２との間に連結軸部３９を備える。基端側大径軸部３４は、係止用鍔部４１を中間に備え、該鍔部４１よりも奥側の軸部４２と該鍔部４１よりも外側でりゅうず装着用の軸部４３とを含む。なお、巻真３０が二段階以上の引出位置（典型的には、例えば、巻真３０を一段引出したカレンダ修正位置及び該巻真３０を二段引出した針回し位置）を有する場合、複数のソロバン玉状部が小径部を介して直列に配置され、基端側大径部が日修正車の如きカレンダ修正車に係合可能な軸部分を含み得る。
【００４２】
巻真挿通穴２０は、巻真３０の大径円柱状部３２がＸ１，Ｘ２方向に摺動して出入可能な入口側の大径円筒状孔部２１と、奥側の巻真先端部逃げ凹部２２とを有する。
【００４３】
奥側の巻真先端部逃げ凹部２２は、中径角柱状部３１が遊嵌され得るＹ方向（図１の（ａ）の面に垂直な方向で図１の（ｂ）の横断面で見て横方向）幅Ｂ１（図１の（ｂ）参照）と、中径角柱状部３１及び先端小径部３５が遊嵌されるＸ方向長さＢ２（図１の（ａ）参照）とを有する。凹部２２は、地板１０の裏面１７において開口部２４で開口している。凹部２２の底をなす壁面（Ｚ１方向端面）２５は、正六面体の一部をなす三平面２５ａ，２５ｂ，２５ｃからなる。奥面２５は、正確な大きさ形状で成形され易い限り、その代わりに、他の形状でもよく、例えば、単純な正四面体の一部であっても、半円筒状面の如き曲面であってもよい。凹部２２は、基本的には、Ｘ方向の位置にかかわらず同一の横断面（Ｘ方向に垂直な断面）形状及び大きさを有する。但し、巻真３０は先端側程細くなっていることから、所望ならば、巻真３０の先端部３５等と干渉する虞れがない限り、Ｘ２方向の奥程Ｙ及びＺ方向の大きさが小さくなっていてもよい。また、凹部２２の奥側（Ｘ２側）の壁部２６の面２６ａは、Ｚ２方向端部に位置する開口部２４に近付く程Ｘ２方向に位置するように傾斜していてもよい。但し、壁部２６は、筒車５１や二番車５２の収容領域２７を凹部２２から画成し壁部１６等を支持する機能を有するので、過度に薄くならない方が好ましい。
【００４４】
地板１０は、また、入口側の大径円筒状孔部２１と奥側の巻真先端部逃げ凹部２２との間に、表側から裏側まで厚さ方向Ｚに延びるつづみ車収容凹部１１を備える。つづみ車収容凹部１１は、巻真３０に嵌合されるつづみ車６０を回転可能に収容する空所であるから、つづみ車収容凹部１１のＹ方向の大きさないし長さは、つづみ車収容凹部１１のＺ方向の大きさ乃至深さとほぼ同程度であり、巻真挿通穴２０の径よりもはるかに大きい。なお、つづみ車収容凹部１１の底面１２は、ほぼ半円筒状（横断面が半円形）であり、地板１０の裏面１７で中央開口１２ａにおいて開口している。
【００４５】
つづみ車収容凹部１１は、Ｘ２方向端部１１ａにおいて、巻真先端部逃げ凹部２２のＸ１側端部２２ａにつながっており、巻真挿通穴２０とつづみ車収容凹部１１との間には、成形バリの原因になる角部２８ａ，２８ｂ，２８ｃが最低限に抑えられる。なお、後述のように、角部２８ａ，２８ｂでは仮に成形バリが生じてもつづみ車６０の凹部１１内への落し込みには実際上影響与えず、角部２８ｃでは仮に成形バリが生じてもつづみ車６０の凹部１１内への落し込みを阻害する虞れが低いので、成形バリが組立（つづみ車６０の凹部１１への落し込み）を阻害する虞れが少ない。
【００４６】
つづみ車収容凹部１１には、角柱状ないし角筒状の貫通孔６１を備えたつづみ車６０が配設されている。巻真３０が、図１の（ａ）に示したように、Ｘ２方向に押込まれた通常運針位置にある場合には、つづみ車６０は、その角筒状孔部６１が巻真３０の円柱状軸部３６に外接する状態で該円柱状部３６に嵌合され、巻真３０に対して該巻真３０の中心軸線Ａのまわりで回転自在である。この状態では、巻真３０の角柱状部３１は、先端小径部３５と共に、巻真挿通穴２０の奥側の巻真先端部逃げ凹部２２内に逃げている。即ち、巻真先端部逃げ凹部２２は、通常運針状態において、巻真３０の角柱状部３１及び先端小径部３５がＸ２方向に逃げるのを許容する空所になっている。一方、巻真３０がＸ１方向に引出された針回し位置に設定される際には、つづみ車６０の角筒状孔部６１が巻真３０の角柱状部３１に丁度嵌合され、巻真３０が針回しのために中心軸線Ａのまわりで回転されると、該巻真３０の中心軸線Ａのまわりでの回転に従ってつづみ車６０が巻真３０と一体的に中心軸線Ａのまわりで回転される。
【００４７】
地板１０の表側表面１３のうちつづみ車収容凹部１１の開口部近傍で且つ巻真先端部逃げ凹部２２の表側（Ｚ１側）の表面には、円柱状の軸部１４が形成され、該軸部１４には小鉄車１５が回転自在に取付けられている。小鉄車１５は、つづみ車６０の歯車部６２に噛合すると共に、日の裏車５４（図１の（ｂ））に噛合されており、針回し位置において巻真３０が回転された際、該巻真３０の回転に伴うつづみ車６０の回転を該日の裏車５４を介して時車４１及び分車４２に伝える。
【００４８】
この電子時計１では、小鉄車１５の支持壁部１６の背後（Ｚ２側）に形成される必要がある巻真先端部逃げ用空所が、地板１０の裏面で開口した凹部２２の形態であるので、その形成が容易である。
【００４９】
地板１０は、更に、外表面１８の近傍に巻真挿通穴２０をＺ方向に横断するプラス端子ばね部遊嵌凹部１９を備える。該プラス端子ばね部遊嵌凹部１９は、巻真３０のソロバン玉状部３３の近傍に位置し、巻真３０が図１の（ａ）に示した通常運針位置にある場合には巻真３０のソロバン玉状部３３の基端側に位置する小径部３８が凹部１９に臨み、巻真３０がＸ１方向に引出された針回し位置にある場合には巻真３０のソロバン玉状部３３の奥側に位置する小径部３７が凹部１９に臨む。
【００５０】
輪列受３に支持された電池プラス端子６５の一部をなすばね部６６は折り曲げられた先端部６７がプラス端子ばね部遊嵌凹部１８に遊嵌され、該先端部６７の開口６８で巻真３０の小径部３７又は３８に係合される。巻真３０が、Ｘ１，Ｘ２方向に出入れされると、ばね部６６は、ソロバン玉状部３３を弾性的に押えつつ巻真３０のＸ１，Ｘ２方向への出入れを許容して他方の小径部３７又は３８に弾性的に嵌り込むことにより、クリック感を出すと共に巻真３０を当該位置で安定に保持する。なお、５６は筒車押え、５７は小鉄車押えである。
【００５１】
次に、以上の如く構成された電子時計１の地板１０を成形するための時計輪列支持板としての地板１０を成形するための本発明による好ましい一実施例の成形用金型構造体５及び該金型構造体５により地板１０を成形するための本発明による好ましい一実施例の成形方法８を、図２の（ａ）〜（ｅ）に基づいて説明する。
【００５２】
なお、図２の（ａ）〜（ｅ）においては、説明の簡明化のために、地板１０の凹凸のうち、大径孔部２１及び巻真先端部逃げ凹部２２並びにつづみ車収容凹部１１以外の凹凸については、省いてある。
【００５３】
成形金型構造体５は、図２の（ａ）に示したように、第一の金型としての上金型８０及び第二の金型としての下金型７０からなる金型本体６と、中子としてのスライドコア９０とを有する。
【００５４】
下金型７０は、固定式の金型で、平坦な上面７１を備え基台（図示せず）に静置固定された厚板７２からなり、上面７１に突起部７３を有する（勿論、地板の形状次第では、突起部７３以外の凹凸を備えていてもよいけれども、ここでは、前述のように説明の簡明化のために詳細構造は省いてある）。
【００５５】
巻真奥端部収容凹部形成用突起部としての突起部７３は、図１の地板１０の巻真先端部逃げ凹部２２と相補的形状を有する。すなわち、突起部７３は、Ｚ方向に垂直な横断面がＢ２，Ｂ１（図示せず）のＸ方向及び及びＹ方向長さを備えた長方形状で、Ｚ１方向端部の表面７４が地板１０の凹部２２の端面２５ａ，２５ｂ，２５ｃに対応する相補的な形状の面になっている。
【００５６】
下金型７０の上面７１は、地板１０の裏面１７と相補的形状であり、厳密には、面１７の凹凸に応じた凹凸を有することになる。
【００５７】
上金型８０は、下面８１で開口した凹部８２を備える。時計輪列支持板外形形成用空所としての凹部８２は、厳密には、成形されるべき地板１０の外形形状（即ち、地板１０の上面１３及び外周面の形状）に一致した内面形状を備える。上金型８０は、凹部８２の底壁８３から凹部８２内に突出した突起部８４を有する。つづみ車収容凹部形成用の突起部８４は、図１の（ａ）に示したつづみ車収容凹部１１を規定すべくつづみ車収容凹部１１の内面と相補的形状の外表面を有する。
【００５８】
上金型８０は、更に、凹部８２の周壁８５の一側８６及び該一側部８６に対面する突起部８４の中央部分に、中子挿通孔８７，８８を備える（ここでは、図１の地板１０の凹部１９や該凹部１９とつづみ車収容凹部１１との間において巻真挿通穴２０に開口する中間凹部１９ａ等は無視し、これらの中間の凹部１９，１９ａ等を形成するための凹凸は省いてある）。上金型８０の周壁８５の下面８１は、一平面上に位置し、下金型７０の上面７１に当接された際に、下金型７０と協働して凹部８２を閉じる。
【００５９】
なお、上下の金型８０，７０が対向面８１，７１で密接されて地板１０の外形を規定する時計輪列支持板外形形成用空所としての凹部８２が閉じられる限り、凹部８２の全体が実質的に上金型８０に形成される代わりに、その一部又は全部が下金型７０の上面７１に形成されていてもよい。
【００６０】
巻真本体部収容孔部形成用のスライドコアすなわち中子９０は、径が一定の円柱状の本体９１を有する。この円柱状本体９１は、巻真挿通穴２０の大径円筒状孔部２１と相補的形状の円柱状本体部分９２と、該円柱状本体部分９２の先端側に位置し該円柱状本体部分９２と同一の横断面形状の先端円板状部分９３とを含む。
【００６１】
中子９０の先端円板状部分９３は、上金型８０の突起部８４の中子挿通孔８８と相補的形状で、該中子挿通孔８８に丁度嵌合される。一方、中子９０の円柱状本体部分９２は、上金型８０の側壁８６の中子挿通孔８７に丁度嵌合される径を備える。なお、中子９０の先端円板状部分９３及び上金型８０の突起部８４の中子挿通孔８８は、相互に相補的な横断面形状（大きさも含めて）を有する限り、その形状は、円以外の形状でもよい。但し、形状の複雑化に伴う精度の低下や金型製作コストの増大を避けるためには、中子９０の円柱状本体部分９２及び中子挿通孔８７と同一の横断面形状であることが好ましい。
【００６２】
なお、巻真の直径が１ｍｍ程度であることから、中子９０の本体９１の径は１ｍｍ程度又はそれより小さい。中子９０の本体９１の長さは、５ｍｍ〜１５ｍｍ程度である。但し、中子９０の本体９１の径や長さは、夫々、より大きくてもより小さくてもよい。
【００６３】
成形に際しては、図２の（ｂ）に示したように、上金型８０の下面８１が下金型７０の上面７１に丁度当接し、上金型８０の突起部８４の側面８４ａが下金型７０の突起部７３の側面７５に丁度当接するように、下金型７０に対して上金型８０をＺ２方向に降ろし、その後、中子９０の先端面９４が下金型７０の突起部７３の側面７５に当接するまで、上金型８０の中子挿通孔８７，８８に中子９０を挿入して中子９０を位置決めする。この状態で、中子９０は、そのＹ，Ｚ方向位置のみでなく、Ｘ方向位置が正確に設定される。また、この金型構造体９０では、中子９０の先端部に小径部を設ける必要がないから、中子９０の先端部が曲がったり折れたりする虞れがなく、金型構造体５の強度が高められ得る。
【００６４】
このように金型構造体５が閉じられた状態で、成形材料導入孔（図示せず）から凹部８２内に成形用樹脂が注入・充填され、樹脂の固化又は硬化の後、金型構造体５が開かれる。
【００６５】
型開きに際しては、図２の（ｃ）に示したように、まず、下金型７０に対して上金型８０が中子９０と共にＺ１方向に持ち上げられる。このとき、地板成形体Ｍ１０（以下では、成形体及びその部分を表すために、地板の各部を表す符号の先頭に添字Ｍを付して表すこともある）は、上金型８０や中子９０と共にＺ１方向に持ち上げられる。
【００６６】
次に、図２の（ｄ）に示したように中子９０がＸ１方向に抜かれ、最後に、図２の（ｅ）に示したように、離型用押圧ピン（図示せず）等により成形体Ｍ１０がＺ２方向に突かれて上金型８０の凹部８２からＺ２方向に落とされて取出される。
【００６７】
この金型構造体５を用いた成形方法８では、中子９０のＸ方向の深さ位置は、中子９０の先端面９４が当接する下金型７０の突起部７３の側面７５によって厳密に規定され得るので、中子９０により形成される穴部の深さが正確に規定され得る。また、この金型構造体５による成形方法８では、上金型８０の突起部８４の側面８４ａで下金型７０の突起部７３の側面７５に丁度当接するので、上金型８０の下金型７０に対するＸ方向位置も正確に規定される。従って、上金型８０のうち孔８７の開口した側壁８６の表面８６ａから突起部７３の奥側側面７６までのＸ方向の長さも正確に規定され得る。更に、この金型構造体５を用いた成形方法８では、中子９０の先端円板状部分９３の高さ位置（Ｚ方向位置）やＹ方向位置が上金型８０の突起部８４の巻真挿通孔８８によって厳密に規定され得るので、中子９０により形成される穴部のＺ，Ｙ方向位置も正確に規定され得る。
【００６８】
また、このようにして成形された成形体としての地板Ｍ１０では、つづみ車６０が樹脂製の軽いものであっても、時計１の組立の際、つづみ車６０のＺ２方向への落とし込み乃至配設を妨げるような成形バリが生じる虞れが少ない。即ち、仮に角部ＭＫ１，ＭＫ２（図２の（ｅ））に成形バリが生じても、該成形バリは、中子９０をＸ１方向に引抜く際に実際上Ｘ１方向に巻真本体部収容孔部Ｍ２１内に延びるので、該成形バリがつづみ車６０の凹部Ｍ１１へのＺ１方向の落とし込みを妨げる虞れは少ない。また、仮に、角部ＭＫ３（図２の（ｅ））に成形バリが生じても、該成形バリは、中子９０及び上金型８０の成形体Ｍ１０に対する相対的引抜方向Ｘ１，Ｚ１からして、先端側程Ｘ１，Ｚ１方向に延びるように傾斜した状態を採るので、つづみ車６０の凹部Ｍ１１へのＺ１方向の落とし込みに際して、該バリはつづみ車６０によって容易にＤ方向（図２の（ｅ））に曲げられ得るから、該成形バリがつづみ車６０の凹部Ｍ１１へのＺ１方向の落としこみを妨げる虞れは少ない。即ち、この成形金型構造体５のよる成形方法８では、つづみ車収容凹部Ｍ１１が小鉄車支持壁部Ｍ１６の背後（裏側）において地板Ｍ１０の裏面Ｍ１７で開口した凹部Ｍ２２に連続的につながっているので、図４の成形金型２００による成形方法と異なり、角部１１５のような角部がないから、つづみ車６０の凹部Ｍ１１への落とし込みを妨げるような成形バリが生じる虞れが少なく、組立が確実に行われ易い。
【００６９】
なお、上金型８０の突起部８４の孔８８が、貫通孔の代わりに、底壁を備えた穴部（Ｘ２方向に向いた側面８４ｂ（図２の（ａ）等参照）で開口し該側面８４ｂからＸ２方向に延びた有底凹部）であってもよい。その場合、中子９０のＸ２方向の先端面９４が上金型８０の突起部８４の穴部（凹部）のＸ２方向の底壁に当接する位置まで挿入される。有底穴部（凹部）が十分な精度で形成され得る限り、その場合においても、前述の場合と同様なメリットがあることは明らかであろう。
【００７０】
また、場合によっては、上金型８０の突起部８４に孔部８８も凹部も形成しないで、上金型８０の突起部８４の平面状側面８４ｂに中子９０の先端面９４を当接させるようにしてもよい。この場合において、中子９０のＸ２方向の先端部のＺ，Ｙ方向位置の位置決め精度を高める必要がある場合、突起部８４と同様な突起部で中子挿通孔部を備えたものを、上金型８０の突起部８４と周壁の一側部８６との間に設けておいてもよい。なお、図１の（ａ）に示した地板１０の場合、実際には、凹部１９ａに対応する部位にそのような突起部があることになるので、この突起部が中子９０の先端部のＺ，Ｙ方向位置の位置決めに用いられ得るから、別途突起部を形成しなくてもよいけれども、所望ならば、地板１０の強度を損なわない範囲でそのような突起部を形成すればよい。
【図面の簡単な説明】
【００７１】
【図１】本発明の好ましい一実施例の成形方法によって形成される本発明の好ましい一実施例の時計輪列支持板としての地板を備えた本発明の好ましい一実施例の電子時計を示したもので、（ａ）は（ｂ）のＩＡ−ＩＡ線断面説明図、（ｂ）は（ａ）のＩＢ−ＩＢ線断面説明図。
【図２】図１の（ａ）及び（ｂ）に示した地板を成形するための本発明の好ましい一実施例の成形用金型構造体による本発明の好ましい一実施例の成形方法を示したもので、（ａ）〜（ｅ）は、成形方法の各工程（段階）を示した説明図。
【図３】従来の地板を供えた従来の電子時計について示したもので、（ａ）は図１の（ａ）と同様な断面説明図（（ｂ）のＩＩＩＡ−ＩＩＩＡ線断面説明図）、（ｂ）は図１の（ｂ）と同様な断面説明図（（ａ）のＩＩＩＢ−ＩＩＩＢ線断面説明図）。
【図４】図３の（ａ）及び（ｂ）に示した地板を成形するための従来の成形用金型構造体による従来の成形方法を示したもので、（ａ）〜（ｅ）は、成形方法の各工程（段階）を示した説明図。
【符号の説明】
【００７２】
１  電子時計
２  時計輪列
３  輪列受
５  金型構造体
６  金型本体
８  成形方法
１０  地板（時計輪列支持板）
１１  つづみ車収容凹部
１１ａ  端部
１３  表面
１５  小鉄車
１７  裏面
２０  巻真挿通穴
２１  大径孔部
２２  巻真先端部逃げ凹部
２２ａ  端部
３０  巻真
３１  角柱部
３２  大径円柱状部
３３  ソロバン玉状部
３４  基端側大径部
３５  先端小径部
６０  つづみ車
６１  角筒状孔部
６２  歯車部
７０  下金型
７１  上面
７３  突起部（巻真奥端部収容凹部形成用突起部）
７５，７６  側面
８０  上金型
８１  下面
８２  地板外形形成凹部
８４  突起部
８４ａ，８４ｂ  側面
８５  周壁
８６  一側壁
８７，８８  中子挿通孔
９０  中子（スライドコア）
９１  本体
９２  円柱状本体部分
９３  円板状先端部分
９４  先端面
Ｍ１０  地板成形体
Ｍ１１  地板成形体のつづみ車収容凹部
Ｍ２１  地板成形体の巻真本体部収容孔部
Ｍ２２  地板成形体の巻真先端部逃げ凹部
Ｘ，Ｘ１，Ｘ２，Ｙ，Ｚ，Ｚ１，Ｚ２  方向
【図１】
2007024536.tif 000003
【図２】
2007024536.tif 000004
【図３】
2007024536.tif 000005
【図４】
2007024536.tif 000006